(57)【要約】  訪問者がウェブサイトを訪問するたびにまたはインターネット検索を実行するたびに、関連する個人化および／またはカスタマイズされた情報をユーザーに提示するシステムを提供する。本記載のシステムは、訪問者の閲覧経験の統合部分として、ウェブサイト情報を効果的に保存（クリッピング）できる。クリップされたウェブサイト情報のコンテンツは、ウェブサイトの所有者／発行者によって有利的に制御してもよい。訪問者が以前に格納したウェブサイトのクリップは「ノート」として識別されるが、このウェブサイトのクリップを用いて、識別された関連ノートとの関係により現在表示中のウェブサイトコンテンツをウェブサイトのクリップに応じて修正してもよいし、および／または、自身の格納済み関連ノートを識別する特定の訪問者に向けて現在のウェブサイト上に通知を表示するようにしてもよい。
2013546032.tif 000002
【特許請求の範囲】
【請求項１】
ウェブサイト上に情報を提示する方法であって、
前記ウェブサイトから抽出情報として情報を抽出することと、
前記ウェブサイトからの抽出情報に関連する情報を、当該ウェブサイトからの抽出情報の抽出前に当該関連情報が格納されているデータベースから検索することと、
前記関連情報を前記ウェブサイト上に表示されたコンテンツに関連付ける態様で当該関連情報を提示することと、
を含む方法。
【請求項２】
前記抽出情報が、前記ウェブサイトのサイトアドレスの一部である、請求項１に記載の方法。
【請求項３】
前記ウェブサイトは検索エンジンとのインターフェースであり、前記抽出情報は当該検索エンジンに入力された検索クエリに対応する、請求項１に記載の方法。
【請求項４】
前記関連情報が表示される態様は、前記検索クエリに対する前記検索エンジンの検索結果を修正することを含む、請求項３に記載の方法。
【請求項５】
前記関連情報を提示する態様は、（i）当該関連情報のプレビューをポップアップウィンドウに表示すること、または、（ii）前記ウェブサイトを修正して当該関連情報を追加・表示することの少なくとも一方を含む、請求項１に記載の方法。
【請求項６】
訪問者が前記ポップアップウィンドウ内のプレビューを選択したか否かを判断することと、
前記プレビューが選択された場合には、当該プレビューに対応する前記関連情報を表示することと、
をさらに含む、請求項５に記載の方法。
【請求項７】
前記関連情報を提示する態様は、当該関連情報が利用可能である旨の通知を前記ウェブサイト上に表示することを含む、請求項１に記載の方法。
【請求項８】
前記データベースはサービスによって保守されており、当該データベースに格納された前記関連情報は、少なくとも１つの他のウェブサイトからクリップされたコンテンツを含む、請求項１に記載の方法。
【請求項９】
前記抽出情報は、前記ウェブサイトから自動的に抽出される、請求項１に記載の方法。
【請求項１０】
前記抽出情報は、前記ウェブサイトの訪問者による起動動作の後に当該ウェブサイトから抽出される、請求項１に記載の方法。
【請求項１１】
ウェブサイト上に情報を提示するソフトウェアを格納した一時的でないコンピュータ読み取り可能な媒体であって、
当該ソフトウェアは、
前記ウェブサイトから抽出情報として情報を抽出する実行可能コードと
前記ウェブサイトからの抽出情報に関連する情報を、当該ウェブサイトからの抽出情報の抽出前に当該関連情報が格納されているデータベースから検索する実行可能コードと、
前記関連情報を前記ウェブサイト上に表示されたコンテンツに関連付ける態様で当該関連情報を提示する実行可能コードと、
を含む、一時的でないコンピュータ読み取り可能な媒体。
【請求項１２】
前記抽出情報は、前記ウェブサイトのサイトアドレスの一部である、請求項１１に記載の一時的でないコンピュータ読み取り可能な媒体。
【請求項１３】
前記ウェブサイトは検索エンジンとのインターフェースであり、前記抽出情報は当該検索エンジンに入力された検索クエリに対応する、請求項１１に記載の一時的でないコンピュータ読み取り可能な媒体。
【請求項１４】
前記関連情報が表示される態様は、前記検索クエリに対する前記検索エンジンの検索結果を修正することを含む、請求項１３に記載の一時的でないコンピュータ読み取り可能な媒体。
【請求項１５】
前記関連情報を提示する態様は、（i）当該関連情報のプレビューをポップアップウィンドウに表示すること、または、（ii）前記ウェブサイトを修正して当該関連情報を追加・表示することの少なくとも一方を含む、請求項１１に記載の一時的でないコンピュータ読み取り可能な媒体。
【請求項１６】
前記ソフトウェアは、
訪問者が前記ポップアップウィンドウ内のプレビューを選択したか否かを判断する実行可能コードと、
前記プレビューが選択された場合には、当該プレビューに対応する前記関連情報を表示する実行可能コードと、
をさらに含む、請求項１５に記載の一時的でないコンピュータ読み取り可能な媒体。
【請求項１７】
前記関連情報を提示する態様は、当該関連情報が利用可能である旨の通知を前記ウェブサイト上に表示することを含む、請求項１１に記載の一時的でないコンピュータ読み取り可能な媒体。
【請求項１８】
前記データベースはサービスによって保守されており、当該データベースに格納された前記関連情報は、少なくとも１つの他のウェブサイトからクリップされたコンテンツを含む、請求項１１に記載の一時的でないコンピュータ読み取り可能な媒体。
【請求項１９】
前記抽出情報は、前記ウェブサイトから自動的に抽出される、請求項１１に記載の一時的でないコンピュータ読み取り可能な媒体。
【請求項２０】
前記抽出情報は、前記ウェブサイトの訪問者による起動動作の後に当該ウェブサイトから抽出される、請求項１１に記載の一時的でないコンピュータ読み取り可能な媒体。
【請求項２１】
ウェブサイト上でのコンテンツクリッピングプロセスに応答して格納された情報を制御する方法であって、
前記コンテンツクリッピングプロセスを起動する前記ウェブサイトにボタンを設定することと、
前記コンテンツクリッピングプロセスの起動に応答して、提示可能な形式でデータベースに格納されているウェブサイト上のコンテンツを識別するコンテンツパラメータを含む、前記ボタンに関連する少なくも１つのパラメータを設定することと、
前記ボタンを前記ウェブサイト上に埋め込むことと、
を含む方法。
【請求項２２】
前記コンテンツクリッピングプロセスの起動に応答して識別される前記ウェブサイト上の前記コンテンツの前記提示可能な形式は、前記少なくとも１つのパラメータの制御によって当該ウェブサイトのサイト所有者により制御される、請求項２１に記載の方法。
【請求項２３】
前記データベースは、前記ウェブサイトの訪問者が加入するサービスによって保守される、請求項２１に記載の方法。
【請求項２４】
前記訪問者は、前記ウェブサイト上の前記埋め込まれたボタンをアクティブにして前記コンテンツクリッピングプロセスを起動し、前記コンテンツの前記提示可能な形式を前記データベースに格納する、請求項２３に記載の方法。
【請求項２５】
前記データベースに格納された前記コンテンツの前記提示可能な形式は、前記訪問者によってその後にアクセス可能である、請求項２４に記載の方法。
【請求項２６】
前記少なくとも１つのパラメータは、前記データベースに格納された前記提示可能な形式の前記コンテンツを体系化するパラメータをさらに含む、請求項２１に記載の方法。
【請求項２７】
前記ボタンを設定することは、当該ボタンの視覚的特徴を設定することを含む、請求項２１に記載の方法。
【請求項２８】
前記コンテンツの前記提示可能な形式は、当該コンテンツの印刷可能ビューと同じである、請求項２１に記載の方法。
【請求項２９】
前記少なくとも１つのパラメータは、前記コンテンツパラメータと、前記コンテンツを体系化する少なくとも１つの他のパラメータとを含む、請求項２１に記載の方法。
【請求項３０】
前記少なくとも１つの他のパラメータは、前記ウェブサイトの訪問者によって制御可能であり、前記コンテンツパラメータは、当該ウェブサイトのサイト所有者によって排他的に制御される、請求項２９に記載の方法。
【請求項３１】
ウェブサイト上でのコンテンツクリッピングプロセスに応答して格納された情報を制御するソフトウェアを格納した一時的でないコンピュータ読み取り可能な媒体であって、
当該ソフトウェアは、
前記コンテンツクリッピングプロセスを起動する前記ウェブサイトのボタンを設定する実行可能コードと、
前記コンテンツクリッピングプロセスの起動に応答して、提示可能な形式でデータベースに格納されているウェブサイト上のコンテンツを識別するコンテンツパラメータを含む、前記ボタンに関連する少なくとも１つのパラメータを設定する実行可能コードと、
前記ボタンを前記ウェブサイト上に埋め込む実行可能コードと、
を含む、一時的でないコンピュータ読み取り可能な媒体。
【請求項３２】
前記コンテンツクリッピングプロセスの起動に応答して識別される前記ウェブサイト上の前記コンテンツの前記提示可能な形式は、前記少なくとも１つのパラメータの制御によって当該ウェブサイトのサイト所有者により制御される、請求項３１に記載の一時的でないコンピュータ読み取り可能な媒体。
【請求項３３】
前記データベースは、前記ウェブサイトの訪問者が加入するサービスによって保守される、請求項３１に記載の一時的でないコンピュータ読み取り可能な媒体。
【請求項３４】
前記訪問者は、前記ウェブサイト上の前記埋め込まれたボタンをアクティブにして前記コンテンツクリッピングプロセスを起動し、前記コンテンツの前記提示可能な形式を前記データベースに格納する、請求項３３に記載の一時的でないコンピュータ読み取り可能な媒体。
【請求項３５】
前記データベースに格納された前記コンテンツの前記提示可能な形式は、前記訪問者によりその後にアクセス可能である、請求項３４に記載の一時的でないコンピュータ読み取り可能な媒体。
【請求項３６】
前記少なくとも１つのパラメータは、前記データベースに格納された前記提示可能な形式の前記コンテンツを体系化するパラメータをさらに含む、請求項３１に記載の一時的でないコンピュータ読み取り可能な媒体。
【請求項３７】
前記ボタンを設定することは、当該ボタンの視覚的特徴を設定することを含む、請求項３１に記載の一時的でないコンピュータ読み取り可能な媒体。
【請求項３８】
前記コンテンツの前記提示可能な形式は、当該コンテンツの印刷可能ビューと同じである、請求項３１に記載の一時的でないコンピュータ読み取り可能な媒体。
【請求項３９】
前記少なくとも１つのパラメータは、前記コンテンツパラメータと、前記コンテンツを体系化する他の少なくとも１つのパラメータとを含む、請求項３１に記載の一時的でないコンピュータ読み取り可能な媒体。
【請求項４０】
前記他の少なくとも１つのパラメータは、前記ウェブサイトの訪問者によって制御可能であり、前記コンテンツパラメータは、当該ウェブサイトのサイト所有者によって排他的に制御される、請求項３９に記載の一時的でないコンピュータ読み取り可能な媒体。
【発明の詳細な説明】
【技術分野】
【０００１】
関連出願
本願は、２０１０年９月８日に出願された米国仮特許出願第６１／３８０，９２４号「プライベート検索と公開検索との組み合わせ方法」に対して優先権を主張するものであり、その出願の内容は本明細書中に参照により組み込まれる。
【０００２】
技術分野
本願は、特にウェブサイトと関連する、情報の格納、検索および提示の分野に関する。
【背景技術】
【０００３】
発明の背景
個人情報の記憶の支援を目的としたシステムやサービスが存在する。そのようなサービスの一例として、カリフォルニア州マウンテンビューのＥｖｅｒｎｏｔｅ社が提供するエバーノートがある。エバーノートに格納可能な情報の例としては、ウェブサイトからのクリップ、名刺、電子メール、文書、会議メモ、リマインダ、写真（人物、風景、ワインのラベル等）、ウィッシュリスト、領収書、音声メモ等が挙げられる。エバーノートのユーザーは、デスクトップパソコンもしくはノートパソコン、電話、タブレット、ＰＤＡ、またはスマートフォン上で動作するカスタムソフトウェアを用いて、あらゆる種類の情報の取得および読み出しが可能である。また、エバーノートは、ユーザーがソフトウェアをインストールすることなく格納情報にアクセスできるウェブアプリケーションも備えている。エバーノートに格納された情報は、時間、日付、地理的な位置、タグ、コンテンツの属性、またはキーワードを任意に組み合わせて検索可能である。また、エバーノートは、画像内の印刷文字および手書き文字を自動的に識別して、インデックスを作成する。エバーノートにおける情報に対する一般的な名称は「ノート」である。
【発明の概要】
【発明が解決しようとする課題】
【０００４】
従って、訪問者によってアクセスされた他のウェブサイトコンテンツに関係する関連ノートの検索および提示を容易に行うことができる有利な点を有するとともに、訪問者によってノートにクリップされたウェブサイトコンテンツの制御をサイト所有者が容易に行うことができるシステムおよび技術の提供が望まれる。
【課題を解決するための手段】
【０００５】
発明の概要
本明細書に記載のシステムによれば、ウェブサイト上に情報を提示する方法は、当該ウェブサイトから抽出情報として情報を抽出することを含む。このウェブサイトからの抽出情報に関連する情報についてデータベースを検索してもよい。上記関連情報は、ウェブサイトからの抽出情報の抽出前にデータベースに格納されていてもよい。また、上記関連情報は、ウェブサイト上に表示されたコンテンツに関連付ける態様で提示される。上記抽出情報は、上記ウェブサイトのサイトアドレスの一部であってもよい。上記ウェブサイトは、検索エンジンとのインターフェースであってもよく、上記抽出情報は、検索エンジンに入力された検索クエリに対応していてもよい。上記関連情報を表示する態様は、上記検索クエリに対する検索エンジンの検索結果を修正することを含んでいてもよい。上記関連情報を提示する態様は、当該関連情報のプレビューをポップアップウィンドウに表示すること、および／または、上記サイトを修正して当該関連情報を追加・表示すること、を含んでいてもよい。上記方法は、訪問者が上記ポップアップウィンドウ内のプレビューを選択したか否かを判断することと、プレビューが選択された場合には当該プレビューに対応する関連情報を表示すること、とをさらに含んでいてもよい。上記関連情報を提示する態様は、当該関連情報が利用可能である旨の通知を上記ウェブサイト上に表示することを含んでいてもよい。上記データベースは、サービスによって保守されていてもよい。また、上記データベースに格納された関連情報は、少なくとも１つの他のウェブサイトからクリップされたコンテンツを含んでいてもよい。上記抽出情報は、上記ウェブサイトから自動的に抽出されてもよく、当該ウェブサイトの訪問者による起動動作の後に抽出されてもよく、また、その両方の方法で抽出されてもよい。
【０００６】
さらに、本明細書に記載のシステムによれば、一時的でないコンピュータ読み取り可能な媒体は、ウェブサイト上に情報を提示するソフトウェアを格納している。このソフトウェアは、上記ウェブサイトから抽出情報として情報を抽出する実行可能コードを含んでいてもよい。また、上記ウェブサイトからの抽出情報に関連する情報をデータベースから検索する実行可能コードを含んでいてもよい。上記関連情報は、ウェブサイトからの抽出情報の抽出前にデータベースに格納済みであってもよい。また、ウェブサイト上に表示されたコンテンツに上記関連情報をリンクする態様で上記関連情報を提示する実行可能コードを含んでいてもよい。上記抽出情報は、上記ウェブサイトのサイトアドレスの一部であってもよい。上記ウェブサイトは、検索エンジンとのインターフェースであってもよく、上記抽出情報は、検索エンジンに入力された検索クエリに対応していてもよい。上記関連情報を表示する態様は、上記検索クエリに対する検索エンジンの検索結果を修正することを含んでいてもよい。上記関連情報の提示には、当該関連情報のプレビューをポップアップウィンドウに表示すること、および／または、上記サイトを修正して当該関連情報を追加・表示すること、を含んでいてもよい。上記方法は、訪問者が上記ポップアップウィンドウ内のプレビューを選択したか否かを判断することと、プレビューが選択された場合には上記プレビューに対応する関連情報を表示することと、をさらに含んでいてもよい。上記関連情報を提示する態様は、当該関連情報が利用可能である旨の通知を上記ウェブサイト上に表示することを含んでいてもよい。上記データベースは、サービスによって保守されていてもよい。また、当該データベースに格納された関連情報は、少なくとも１つの他のウェブサイトからクリップされたコンテンツを含んでいてもよい。上記抽出情報は、上記ウェブサイトから自動的に抽出されてもよく、当該ウェブサイトの訪問者による起動動作の後に抽出されてもよく、また、その両方の方法で抽出されてもよい。
【０００７】
本明細書に記載のシステムによれば、ウェブサイト上でのコンテンツクリッピングプロセスに応答して格納された情報を制御する方法が提供される。このコンテンツクリッピングプロセスを起動するウェブサイトにボタンを設定してもよい。当該ボタンに対して、少なくとも１つのパラメータを関連付けてもよい。当該少なくとも１つのパラメータは、上記コンテンツクリッピングプロセスの起動に応答して上記ウェブサイト上のコンテンツを識別するコンテンツパラメータを含んでいてもよい。上記コンテンツは、提示可能な形式でデータベースに格納されていてもよい。上記ボタンは、上記ウェブサイト上に埋め込まれてもよい。上記コンテンツクリッピングプロセスの起動に応答して識別されるウェブサイト上のコンテンツの提示可能な形式は、上記少なくとも１つのパラメータの制御によって、当該ウェブサイトのサイト所有者により制御されてもよい。上記データベースは、上記ウェブサイトの訪問者が加入するサービスによって保守されていてもよい。上記訪問者は、上記ウェブサイト上の条規埋め込まれたボタンをアクティブにして上記コンテンツクリッピングプロセスを起動し、上記コンテンツの提示可能な形式を上記データベースに格納するようにしてもよい。上記データベースに格納されたコンテンツの提示可能な形式は、上記訪問者により後々アクセス可能であってもよい。上記少なくとも１つのパラメータは、上記データベースに格納された上記提示可能な形式のコンテンツを体系化するパラメータをさらに含んでいてもよい。上記ボタンの設定は、当該ボタンの視覚的特徴を設定することを含んでいてもよい。上記コンテンツの提示可能な形式は、当該コンテンツの印刷可能ビューと同じであってもよい。上記少なくとも１つのパラメータは、上記コンテンツパラメータと、上記コンテンツを体系化する少なくとも１つの他のパラメータとを含んでいてもよい。上記少なくとも１つの他のパラメータは上記ウェブサイトの訪問者によって制御可能であってもよく、上記コンテンツパラメータは当該ウェブサイトのサイト所有者によって排他的に制御されてもよい。
【０００８】
さらに、本明細書に記載のシステムによれば、一時的でないコンピュータ読み取り可能な媒体は、ウェブサイト上でのコンテンツクリッピングプロセスに応答して格納された情報を制御するソフトウェアを格納している。当該ソフトウェアは、上記コンテンツクリッピングプロセスを起動するウェブサイトにボタンを設定する実行可能コードを含んでいてもよい。また、当該ボタンに関連付けられた少なくとも１つのパラメータを設定する実行可能コードを含んでいてもよい。上記少なくとも１つのパラメータは、上記コンテンツクリッピングプロセスの起動に応答して上記ウェブサイト上のコンテンツを識別するコンテンツパラメータを含み、当該コンテンツは提示可能な形式でデータベースに格納されている。また、上記ボタンを上記ウェブサイト上に埋め込む実行可能コードを含んでいてもよい。上記コンテンツクリッピングプロセスの起動に応答して識別される上記ウェブサイト上のコンテンツの提示可能な形式は、上記少なくとも１つのパラメータの制御によって当該ウェブサイトのサイト所有者により制御されてもよい。上記データベースは、上記ウェブサイトの訪問者が加入するサービスによって保守されていてもよい。上記訪問者は、上記ウェブサイト上の上記埋め込まれたボタンをアクティブにして上記コンテンツクリッピングプロセスを起動し、上記コンテンツの提示可能な形式を上記データベースに格納するようにしてもよい。上記データベースに格納された上記コンテンツの提示可能な形式は、上記訪問者によりその後にアクセス可能であってもよい。上記少なくとも１つのパラメータは、上記データベースに格納された上記提示可能な形式のコンテンツを体系化するパラメータをさらに含んでいてもよい。上記ボタンの設定は、当該ボタンの視覚的特徴を設定することを含んでいてもよい。上記コンテンツの提示可能な形式は、当該コンテンツの印刷可能ビューと同じであってもよい。上記少なくとも１つのパラメータは、上記コンテンツパラメータと、上記コンテンツを体系化する少なくとも１つの他のパラメータとを含んでいてもよい。上記少なくとも１つの他のパラメータは、上記ウェブサイトの訪問者により制御可能であってもよく、上記コンテンツパラメータは当該ウェブサイトのサイト所有者によって排他的に制御されてもよい。
【図面の簡単な説明】
【０００９】
図面の簡単な説明
以下に簡単に説明した図面に記載された図に従って、本明細書に記載のシステムの実施形態をより詳細に説明する。
【００１０】
【図１】図１は、本明細書に記載のシステムの一実施形態に係る、サイトメモリ機能を有するウェブサイトのページを示した模式図である。
【図２】図２は、本明細書に記載のシステムの一実施形態に係る、サイトメモリに関係する処理を示したフロー図である。
【図３】図３は、本明細書に記載のシステムの一実施形態に係る強化されたインターネット検索技術と関係する本明細書に記載のシステムの処理を示すフロー図である。
【図４】図４は、本明細書に記載のシステムの一実施形態に係る、訪問者による埋め込みサイトメモリボタンのクリック時に開かれ、そのクリップの結果がウェブサイトのサイト所有者によって制御されている、ポップアップウィンドウを示した模式図である。
【図５】図５は、本明細書に記載のシステムの一実施形態に係る、訪問者が選択して表示可能な関連ノートを示すポップアップウィンドウの模式図である。
【図６】図６は、本明細書に記載のシステムの一実施形態に係る、ウェブサイトのサイト所有者によるクリップコンテンツの制御に従ったオンサイトクリッピング処理を示すフロー図である。
【図７】図７は、本明細書に記載のシステムの他の実施形態に係る、訪問者登録処理を含むオンサイトクリッピング処理を示すフロー図である。
【図８】図８は、本明細書に記載のシステムの一実施形態に係る、訪問者がオンサイトクリッピング処理を起動した際にノートにクリップされるコンテンツの特徴および識別を制御するためにウェブサイトのサイト所有者が使用するボタンビルダーテンプレートを示す模式図である。
【発明を実施するための形態】
【００１１】
種々の実施形態の詳細な説明
本明細書に記載のシステムは、ユーザー（訪問者）が公開ウェブサイトを訪問するたびにまたはＧｏｏｇｌｅおよび／もしくはその他の任意の検索エンジンでのインターネット検索を実行するたびに、エバーノートおよび／またはその他の類似サービスに格納済みの関連する個人（プライベート）情報をユーザーに提示する方法を提供する。特に、エバーノートを用いて、ウェブサイト情報をノートとして保存してもよい。本明細書に記載のシステムは、訪問者の閲覧経験の統合部分としてウェブページまたはその他のウェブサイト情報を保存することができるという有利な点がある。なお、「エバーノート」によって提供されるサービスは、主に本明細書に記載のシステムに関連して論じるが、本明細書に記載のシステムは、エバーノートサービス／ソフトウェアと類似の機能を実行する他のサービスまたはハードウェアとともに使用してもよいし、および／または、訪問者のローカルコンピュータ上で単にファイルとして存在する他の特徴と関連して使用してもよい。したがって、本明細書における「エバーノート」への言及は、同様の適当なサービスおよびソフトウェアにも一般的に適用されるものと解釈すべきである。
【００１２】
エバーノートでは、ユーザーデータベースの一部であるノートブックにノートを格納してもよい。また、ユーザーデータベースのメインコピーを１または複数のネットワークデータサービスに格納してもよい。ノートは、複数の機器およびプラットフォーム間で同期させてもよい。本明細書に記載のシステムでは、テキストおよび画像のキーワード検索、ウェブサイトからクリップされたノートのソースＵＲＬの検索、位置情報による検索等、ユーザーのノート間で複数の検索オプションが可能である。本明細書中で別途詳細に論じているように、訪問者によるウェブサイトの訪問時またはオンライン検索時、本明細書に記載のシステムは、公開されたサイトコンテンツまたは検索結果とユーザー（訪問者）のデータベースに格納済みのノートとを組み合わせて、サイト関連度を高めるとともに訪問者の経験および生産性を高めるようにしてもよい。
【００１３】
本明細書に記載のシステムの一実施形態において、ユーザー／訪問者は、自分らの選択されたウェブブラウザに「拡張」と称することができるソフトウェアをインストールしてもよい。他の実施形態において、この拡張（または、それによって提供される機能）は、適当なウェブブラウザにプレインストールされていてもよい。また、上記拡張は、ブラウザのツールバーまたはその他の場所におけるボタンまたはアイコンとして可視化されたものでもよいし、および／または、当該ボタンまたはアイコンによって起動されるものであってもよい。上記拡張は、訪問者がブラウザで任意のウェブサイトを訪問するたびに起動され、訪問者のエバーノートアカウントについて、当該ウェブサイトまたはウェブサイト上のコンテンツに関連する格納済みのノートの有無を確認するようになっていてもよい。一実施形態において、上記拡張は、ウェブページを訪問するたびに自動的に動作するようになっていてもよい。その追加および／または代替として、他の実施形態においては、ユーザーがたとえばボタンをクリックすることによって拡張を起動するようにしてもよい。また、本明細書中で別途論じているように、上記拡張は、サイトのアドレス（ＵＲＬ）がノートに属するもの（たとえば、ノートが同じサイトから「クリップ」されたもの）か否かの確認、サイトおよびノートの両者に共通のキーワードがあるか否かの確認、および以前にサイトを訪問した他人が類似のノートを有しているか否かの確認等、いくつかの技術を採用することによってノートがサイトと関連しているか否かを判断するように動作してもよい。
【００１４】
これらの方法は、その一部または全部を毎回採用するようにしてもよい。上記拡張が現在表示中のウェブサイトに関連する１または複数のノートを訪問者が有しているものと判断した場合は、（１）要約情報および訪問者の個人ノートへのリンクを公開サイト内に含めることによって、訪問者のウェブブラウザに表示されたサイトのコンテンツを修正することにより、（２）要約情報およびリンクを含むポップアップウィンドウを表示することにより、および／または、（３）関連ノートが存在する旨を訪問者に注意喚起するステータスメッセージまたはインジケータを拡張アイコン上に表示することにより、上記拡張は訪問者に知らせるようにしてもよい。そして、ユーザーは、コンテンツまたはポップアップウィンドウ中の要約情報またはリンクのクリックおよび／または拡張のボタンのクリックを行って関連ノートの要約プレビューを表示し、その後、要約プレビューから特定のノートを選択して表示してもよい。
【００１５】
他の実施形態においては、ウェブブラウザに拡張やユーザーカスタム機能を導入することなく、特定のサイトに対する類似の機能および効果を実現するようにしてもよい。サイトの発行者または所有者（サイト所有者）は、本明細書に記載の上記拡張と類似の動作を行う「埋め込みボタン」（小さなＪａｖａＳｃｒｉｐｔまたは類似のコード）をウェブサイトに埋め込んでもよい。一実施形態においては、本明細書に記載の埋め込みボタン機能は、「エバーノートサイトメモリ」とも称してよい。エバーノートサイトメモリの埋め込みボタンは、サイト所有者のウェブサイト上におけるエバーノートの縮小版の埋め込みであってもよい。この埋め込みボタンは、ウェブサイトにメモリを効果的に付与するものであってもよい。種々の実施形態において、エバーノートサイトメモリの埋め込みボタンは、ブログ、報道機関、店舗、企業サイト、商用サイト、および／または、その他のウェブサイトの動作に関係して、有利なメモリ機能を提供するものであってもよい。
【００１６】
図１は、本明細書に記載のシステムの一実施形態に係る、サイトメモリ機能を有するウェブサイトのページ１００を示した模式図である。図示のウェブページ１００には、一般に「サイトメモリボタン」と称することができる２つのサイトメモリ機能が備わっている。本明細書中で別途論じているように、本明細書に記載のシステムによれば、これらのサイトメモリ機能としては、たとえばブラウザに設置されたボタンである拡張ボタン／アイコン１１０やウェブページ１００に埋め込まれた埋め込みボタン１１２等が挙げられる。ウェブページ１００は、ブラウザが提供するウェブページアドレス（たとえば、ＵＲＬ）、タイトルおよび／またはその他の識別情報等を含むことができるウェブサイト識別情報１２０を含む。また、ウェブサイト１００は、インターネット上で利用可能なテキスト、画像、グラフィック、メディアコンテンツおよび／またはその他任意の適当なウェブページコンテンツ等を含むことができるウェブサイトコンテンツ１３０を含んでいてもよい。一実施形態において、拡張ボタン（またはアイコン）１１０は、訪問者が自分自身のエバーノートサービスの関連ノート情報を利用可能であることを識別するために、訪問者がインストールした拡張の使用と関係付けられて設けられている。他の実施形態において、埋め込みボタン１１２は、サイト所有者によってウェブサイトに埋め込まれた埋め込みボタンを表していてもよい。本明細書中で別途論じているように、特に、埋め込みボタンは、訪問者によって起動されたクリッピングプロセスに応答して、エバーノートサービスによりノートとして提供された情報を制御するために、サイト所有者によって制御されるクリッピングと関係付けて使用してもよい。特に、種々の実施形態において、ウェブページ１００は、上記ボタンの一方および／または両方を備えていてもよい。さらに、ウェブページ１００には、本明細書に記載のシステムの一実施形態に係るサイトメモリ情報を提供可能なポップアップウィンドウ１４０が示されている。
【００１７】
本明細書に記載のシステムによれば、ポップアップウィンドウ１４０には、訪問者の１または複数のエバーノートデータベースに格納された関連情報（ノート）を表示してもよい。他の実施形態において、ウェブサイト１００のウェブサイトコンテンツ１３０は、ノートに従って修正および／または強化されてもよい。本明細書に記載のシステムは、現在のウェブサイトに関連あるいは関連性のある１または複数のノートを訪問者が有しているものと判断した場合には、（１）要約情報および訪問者の個人ノートへのリンクを公開サイト内に含めることによって、訪問者のウェブブラウザに表示されたサイトのウェブサイトコンテンツ１３０を自動的に修正することにより、（２）要約情報およびリンクを含むポップアップウィンドウを表示することにより、および／または、（３）関連ノートが存在する旨を訪問者に注意喚起するステータスメッセージまたはインジケータを１または複数のサイトメモリボタンと関係づけて表示し、訪問者のボタンクリックによって関連ノートを表示可能とすることにより、上記システムは訪問者に知らせるようにしてもよい。
【００１８】
本明細書中で別途論じているように、公開検索エンジンを用いたユーザーによるインターネット検索（たとえば、Ｇｏｏｇｌｅ検索）に関係して、Ｇｏｏｇｌｅ検索および／またはその他任意の検索エンジンの検索結果（ウェブサイトコンテンツ１３０）を公開ウェブサイトが表示している場合、本明細書に記載のシステムは、エバーノート（および／または他のサービスもしくは訪問者のローカル文書）を介して格納された訪問者の個人用ノートに対して、（公開検索の結果を得るのに用いた）検索クエリを自動的に実行させてもよい。これには、訪問者が検索している話題に関して訪問者が以前に「記憶」された（エバーノートもしくは他のサービスで格納された、またはローカル文書に格納された）任意の個人情報またはプライベート情報を訪問者に知らせる効果がある。
【００１９】
図２は、本明細書に記載のシステムの一実施形態に係る、サイトメモリに関係する処理を示したフロー図２００である。ステップ２０２において、ユーザー（訪問者）は、ブラウザを用いてウェブサイトを訪問する。ステップ２０２の後、処理が進んで、ステップ２０４においては、正規化サイトＵＲＬ（および／または、その他の適当なアドレスフォーマット）等の正規化サイト情報はブラウザのアドレスフィールドから取得してパースしてもよい。たとえば、ｈｔｔｐ［ｓ］：／／［ｓｕｂｄｏｍａｉｎ］．ｄｏｍａｉｎ．ｔｌｄ／ｐａｔｈまたはｈｔｔｐ［ｓ］：／／ｗｗｗ．ｄｏｍａｉｎ．ｔｌｄというフォーマットのＵＲＬの場合は、ｔｌｄ（トップレベルドメイン）に続くパス名を外して、関連するドメイン情報を正規化サイトＵＲＬフォーマットに残すようにしてもよい。なお、サイトメモリ処理は、訪問者のウェブサイト訪問時に自動的に行ってもよいし、訪問者が何らかの方法によって（たとえば、拡張ボタン１１０や埋め込みサイトメモリボタン１１２の最初のクリック、および／または、その他何らかの適当な機構によって）起動してもよい。
【００２０】
ステップ２０４の後、処理が進んで、ステップ２０６においては、エバーノートおよび／またはその他の類似サービスを介して１または複数のデータベースに格納されたノートのソースＵＲＬ情報（および／または、その他の適当な情報）等の格納されたノート情報に対して、正規化サイトＵＲＬフォーマットを比較してもよい。この比較には、以前に格納されたノートを有するエバーノートサービスが保守する１または複数のデータベースの検索を含んでいてもよい。ソースＵＲＬ情報は、ウェブページからクリップされたノートに属するものであってもよいし、訪問したウェブサイトに関連する（当該ウェブサイトからクリップされた）すべてのノートを見つけ出すものであってもよい。このクリッピングプロセスの付加的な機能については別途、本明細書中で詳細に論じる。その他の実施形態において、本明細書に記載のシステムは、サイトとノートの両者に共通のキーワードがあるか否かの確認、および以前にサイトを訪問した他人も類似のノートを有しているか否かの確認によって関連ノートを識別してもよい。一実施形態においては、訪問者のウェブサイト訪問時に上述のステップを自動的に行ってもよい。他の実施形態においては、たとえば訪問者によるボタン１１０および／もしくはボタン１１２の最初のクリックによって、ならびに／または、訪問者による他の適当な起動動作によって、上述のステップを起動してもよい。
【００２１】
ステップ２０６の後、処理が進んで、テストステップ２０８においては、上記検索および比較処理に応答して、関連ノートが存在するか否かが判断される。存在しない場合は、処理を終了する。一方、関連ノートが存在すると判断された場合には処理が進んで、ステップ２１０においては、関連ノートのノートプレビューを作成してもよい。一実施形態において、ノートプレビューとしては、対象ノートのサムネイル、ノートコンテンツの抜粋または要約、オンラインノートブック中の全ノートへのリンク、および／または、その他の適当なノートプレビューの表示が挙げられる。
【００２２】
ステップ２１０の後、処理が進んで、ステップ２１２においては、ノートプレビューの表示および／または訪問者へのノートプレビューの通知によって、サイトメモリ機能が利用可能または提供されていることが示される。種々の実施形態において、訪問者には、ポップアップウィンドウ中に表示したり、表示中のウェブサイトのコンテンツと関係づけてノートプレビューを表示したりすることにより、ノートプレビューを通知するようにしてもよいし、および／または、１または複数のサイトメモリボタンを含む通知と関係づけてノートプレビューを提示するようにしてもよい。たとえば、拡張ボタン１１０の使用を伴う表示の場合は、現在のウェブサイトのノートプレビューが利用可能であることを示すために、何らかの適当な方法で拡張ボタン１１０を変更してもよい。その一例として、関連ノートの総数とともに、ボタン１１０の近くに「バルーン」を表示する。他の実施形態においては、訪問者が訪問中の現在のウェブサイトの表示コンテンツにノートプレビュー情報を組み入れることによって当該ウェブサイトのコンテンツを修正することにより、ノートプレビューの存在を訪問者に知らせるようにしてもよい。また、ノートプレビュー情報をポップアップウィンドウに表示することによって、ノートプレビューの存在を訪問者に知らせるようにしてもよい。
【００２３】
なお、その他の実施形態においては、ステップ２１２および２１０を修正し、異なる順序で実行してもよい。たとえば、関連ノートが存在することと、ノートの存在を示す１または複数のサイトメモリボタンの変化等により、要求に応じてノートプレビュー情報を提供可能であることとを、訪問者に知らせるようにしてもよい。そして、訪問者の要求（クリック）により、関連ノートのノートプレビュー情報を作成して表示してもよい。
【００２４】
ステップ２１２の後、処理が進んで、テストステップ２１４においては、たとえばノートプレビュー項目のクリックにより訪問者がノートを要求したか否かが判断される。たとえば、現在のウェブサイトに表示されている修正コンテンツと関係づけて提示されたノートプレビュー項目を訪問者がクリックしたりポップアップウィンドウを訪問者がクリックしたりしたものと判断してもよいし、および／または、ノートプレビューの存在を訪問者に知らせる拡張ボタン１１０を訪問者がクリックしたものと判断してもよい。拡張ボタン１１０のクリックの場合、訪問者はさらに、一覧表示された１または複数のノートプレビュー項目をクリックしてもよい。訪問者がノートプレビュー項目をクリックしていないと判断された場合には、処理を終了する。一方、訪問者がノートプレビュー項目をクリックしたと判断された場合には処理が進んで、ステップ２１６においては、選択されたノートプレビューに対応する関連ノートをエバーノートデータベースから読み出して、訪問者に表示する。このステップ２１６の後、処理を終了する。
【００２５】
図３は、本明細書に記載のシステムの一実施形態に係る強化されたインターネット検索技術と関係する本明細書に記載のシステムの処理を示すフロー図３００である。ステップ３０２において、ユーザー（訪問者）は、ブラウザおよび／またはその他の適当なインターネット検索機能を用いて、Ｇｏｏｇｌｅ、Ｗｉｋｉｐｅｄｉａおよび／またはその他のインターネット検索エンジンウェブサイト等の検索サイトを訪問する。ステップ３０２の後、処理が進んで、ステップ３０４においては、ブラウザが検索クエリの入力を受け付ける。種々の実施形態において、この検索クエリは、訪問者が入力することにより、および／または、訪問者が検索サイトにリンクさせた他のサイトにより、提供してもよい。ステップ３０４の後、処理が進んで、ステップ３０６においては、システムがブラウザのアドレスフィールドから訪問者の検索クエリ語を抽出する。検索クエリに対するＵＲＬのパースでは、ブラウザおよびオンライン検索クエリ用の検索エンジン固有フォーマットを考慮してもよい。ステップ３０６の後、処理が進んで、ステップ３０８においては、エバーノート（および／またはその他の類似サービス）に格納されたノートに対応する情報を検索し、抽出された検索クエリ語と比較してもよい。エバーノートは、テキストノートにおける通常のキーワード検索および画像中に存在する入力テキストや手書きテキストからノートを取得したり、たとえば既知の光学式文字認識（ＯＣＲ）技術、インテリジェント文字認識（ＩＣＲ）技術、手書き文字認識（ＮＨＲ）技術および／またはその他既知のデータ抽出技術を用いて、デジタルインクノート等を取得したりしてもよい。
【００２６】
ステップ３０８の後、処理が進んで、テストステップ３１０においては、抽出された検索クエリ語に対応する関連ノートがエバーノートに存在するか否かが判断される。存在しない場合は、処理を終了する（また、たとえば検索エンジンは、通常かつ未修正の公開検索クエリの結果を表示する）。テストステップ３１０において関連ノートが存在すると判断された場合には処理が進んで、ステップ３１２においては、関連ノートのノートプレビューを作成する。種々の実施形態において、ノートプレビュー情報は、ノートの要約、ノートコンテンツの抜粋、ノートのサムネイル画像等を含んでもよい。ステップ３１２の後、処理が進んで、ステップ３１４においては、検索エンジンの通常かつ未修正の公開検索クエリの結果を解析する。本明細書中で別途論じているように、この解析は、たとえば正規化ＵＲＬ等のページＵＲＬの抽出を含んでもよい。ステップ３１４の後、処理が進んで、ステップ３１６においては、エバーノートに格納された訪問者のノートのソースＵＲＬ等のノート情報に対して、正規化ＵＲＬ等の検索結果抽出情報を比較する（たとえば、図２参照）。
【００２７】
ステップ３１６の後、処理が進んで、テストステップ３１８においては、上記検索結果抽出情報とエバーノートのノート情報との比較が、（もしあれば、テストステップ３１０において識別されたノートとは別の）追加の関連ノートの存在を示しているか否かが判断される。追加の関連ノートが存在すると判断された場合には処理が進んで、ステップ３２０においては、この追加の関連ノートのノートプレビューを作成する。ステップ３２０の後、処理が進んで、ステップ３２２においては、訪問者にノートプレビューを通知する。種々の実施形態において、訪問者には、ポップアップウィンドウを介して、表示中の検索結果のコンテンツの修正と関係づけて表示することによりノートプレビューを通知するようにしてもよいし、および／または、１または複数のサイトメモリボタンを含む通知と関係づけてノートプレビューを提示するようにしてもよい。たとえば、上記検索に対する関連ノートを利用できるようにしてもよいし、および／または、検索結果リストの隣りに関連ノートへのリンクを設けるように検索結果ページのコンテンツを変更するようにしてもよい。その追加および／または代替として、拡張ボタン１１０等の１または複数の専用ボタンの使用を伴う表示の場合は、検索結果のノートプレビューが利用可能であることを示すために、拡張ボタンを変更してもよい。
【００２８】
テストステップ３１８において、追加の関連ノートが存在しないと判断された場合には処理が進んで、テストステップ３２４においては、検索クエリに対する関連ノートが存在するか否か（すなわち、テストステップ３１０において関連ノートが存在すると判断されたか）が判断される。存在しない場合は、処理を終了する。存在する場合、すなわち、テストステップ３１０において関連ノートが存在すると判断された場合には処理が進んで、ステップ３２２においては、上述の通り、訪問者にノートプレビューを通知する。
【００２９】
ステップ３２４の後、処理が進んで、テストステップ３２６においては、ウェブページ上の検索結果コンテンツおよび／または拡張ボタン１１０において、訪問者がノートプレビュー情報（たとえば、関連ノートのリンク）をクリックしたか否かが判断される。種々の実施形態において、この判断は、たとえば関連ノートの存在が通知された場合に、訪問者がまず拡張ボタン１１０をクリックした後、特定の関連ノートへのリンクを１または複数回クリックする、という複数回のクリックと関係づけて行ってもよい。訪問者がノートプレビュー情報および／またはサイトメモリボタンをクリックしていないと判断された場合には、処理を終了する。一方、訪問者がノートプレビュー情報および／またはサイトメモリボタンをクリックした場合には処理が進んで、ステップ３２８においては、関連ノートをエバーノートデータベースから読み出して、訪問者に表示するようにしてもよい。このステップ３２８の後、処理を終了する。
【００３０】
種々の実施形態において、上記埋め込みボタンの使用は、収益発生および共有のスキーマと関係づけて行ってもよい。たとえば、埋め込みサイトメモリボタン１１２をクリックした後、訪問者は、自身のエバーノートアカウントへのサインインが必要であってもよい。エバーノートアカウントがない場合は、ポップアップにてアカウントを作成してもよい。訪問者は、会員アカウント（たとえば、プレミアムアカウント）等、エバーノートアカウントの複数のオプションが利用可能であってもよく、サイトメモリボタンからエバーノートの会員サービス版にサインアップした場合には、ユーザーが支払う会員料金の一部をサイト所有者が受け取れるようになっていてもよい。その他の収益発生オプションも可能である。
【００３１】
他の実施形態において、本明細書に記載のシステムは、エバーノート（および／またはその他の類似サービス）を用いてウェブサイトのクリッピングプロセスを起動する訪問者がクリップする情報の態様を制御できるウェブサイトのサイト所有者によってクリッピング制御できるようにしてもよい。たとえば、ウェブサイト上の埋め込みオンサイトクリッピングボタンの制御によって、サイト所有者は、訪問者による埋め込みボタンの起動に際して訪問者のエバーノートアカウントに保存される情報を厳密に制御してもよい。埋め込みオンサイトクリッピングボタンは、本明細書中に既述のサイトメモリボタン１１２と同一であってもよいし、異なるボタンであってもよい。したがって、種々の実施形態においては、同一のボタンが本明細書に記載のサイトメモリ機能ならびにコンテンツクリッピング機能の両者を提供するように機能し、１または複数の選択機能またはオプションを訪問者に提供することによって、要求するサイトメモリ検索機能またはコンテンツクリッピング機能（もしくは両者）を選択できるようにしてもよい。あるいは、その他の実施形態において、ウェブサイトの同じ部分または異なる部分に複数のボタンを配置して使用してもよい。たとえば、ブログ索引ページ上の各記事の抜粋の隣りにサイトメモリボタンを埋め込んでもよい。
【００３２】
一実施形態においては、コンテンツクリッピング機能のためのボタンカスタマイズの一部として、ページのクリッピング領域および得られるノートのタイトルをサイト所有者が定義するようにしてもよい。サイト所有者は、ノートに付随するタグのほか、インポート先のノートブック等、クリップの体系化方法を提案してもよい。また、本明細書中で別途論じているように、サイト所有者は、ウェブサイトからクリップされたページを効果的に制御可能な態様で提示・表示可能とする自動ヘッダー、フッター、リンク、および属性をクリップに付与してもよい。
【００３３】
図４は、本明細書に記載のシステムの一実施形態に係る、訪問者による拡張ボタン１１０（および／または、拡張のボタンまたはアイコンと異なる場合は、埋め込みのクリッピングおよび／またはサイトメモリのボタン１１２等の他のブラウザベースまたは埋め込みのクリッピングボタン）のクリック時に開かれ、そのクリップの結果がウェブサイトのサイト所有者によって制御されている、ポップアップウィンドウ４００を示す模式図である。ポップアップ４００は、２つ以上の機能を提供するものであってもよい。第１に、本明細書中で別途論じているように、ポップアップは、訪問者にウェブサイトのページをクリップさせるものであってもよい。第２に、ポップアップは、同じドメインから以前にクリップしたすべてのものを訪問者に示すものであってもよい。訪問者は、以前にクリップしたウェブサイトからの好みのコンテンツの要約リストを通して閲覧を行ってもよい。また、サイトメモリボタン１１２をページに埋め込む前にブラウザの拡張によって作成されたノートであっても、本明細書中で論じているように、上記クリックの結果に表示されるようにしてもよい。
【００３４】
以下では、クリッピングプロセスの起動後に生成されたノートを訪問者がさらにカスタマイズできるように、オプションとともにサイト所有者の制御情報を含んでもよいポップアップ４００のフィールドに関する特定の実施形態を説明する。ポップアップのフィールド４０１は、クリップ対象のウェブサイトの名称等、提供者の情報を示してもよい。フィールド４０２は、クリップされたコンテンツとともに保存される新たなノートのタイトルを示してもよい。タイトルは、サイト所有者によって制御されるように既に提案済みであってもよく、また、ウェブページのタイトルと同じであってもよいし、ウェブページのタイトルと異なっていてもよい。訪問者は、ノートの所望のタイトルを入力してもよい。フィールド４０３は、クリップされるウェブサイトのソースＵＲＬを示してもよく、このフィールドをカスタマイズすることによって、サイト所有者は、訪問者が「ニュース」ページまたは「ヘッドライン」ページからサイトコンテンツをクリップした場合であってもその後のサイト変更に対してリンクが持続されるノートへの「パーマリンク」を提供するようにしてもよい。フィールド４０４は、新たなノートブックの提案および／または訪問者が保存したノートブックの表示等、新たなノートの提案された格納場所を示してもよい。フィールド４０５は、個人用および／または仕事用等、訪問者によるノートへのタグ付けが可能であってもよい。サイト所有者は、ポップアップウィンドウに一覧表示してもよい予め定義されたタグを提案してよく、また、訪問者がタグの承認および／またはオーバーライドを行ってもよい。フィールド４０６は、ノートの説明となる情報を訪問者が入力することによってさらにカスタマイズ可能なテキストフィールドであってもよい。フィールド４０７は、同じドメインからの他のノート等のクリップされた他のノートを訪問者が視認できるタブおよび／またはその他の機構であってもよい。本明細書に記載のシステムによれば、ノートに後々アクセスした訪問者によって表示される実際のクリップされたコンテンツは、サイト所有者によって制御されてもよく、一方、本明細書中で別途論じているように、訪問者は、フィールド内のその他の要素を再定義してもよい。
【００３５】
図５は、本明細書に記載のシステムに係る、訪問者が選択して表示可能な関連ノートを示すポップアップウィンドウ４１０の模式図である。本明細書に記載の種々の実施形態において、ポップアップウィンドウ４１０は、本明細書に記載のプロセスに従って関連ノートと判断されたノートプレビューの例を示してもよい。たとえば、ポップアップウィンドウ４１０は、共通のドメインからクリップされたノートのノートプレビューの表示であってもよいし、および／または、ポップアップウィンドウ４１０は、訪問者によって訪問されたおよび／または本明細書に記載のサイトメモリ処理に従ってユーザーが実行したインターネット検索によって訪問された、現在のウェブサイトに関連するノートを示す処理結果であってもよい。図示のように、ポップアップウィンドウは、関連ノートのサムネイル画像、テキストおよび／またはその他の識別情報を有するノートプレビュー４１２、４１４を含んでいてもよい。プレビュー４１２、４１４のクリックにより、関連付けられたノートが表示されるようになっていてもよい。
【００３６】
なお、本明細書に記載のシステムによれば、訪問者の過去のノートと新たに訪問されたウェブサイトとの関連付けができると、訪問者が当該ウェブサイトからコンテンツをクリップし、他の関連ノートや同じサイトまたは同じドメインからクリップされた過去のコンテンツ等の他のコンテンツとの関係を探索する場合に特に有利である。このことは、買い物、調査、娯楽および／またはその他の頻繁に訪問するサイトとの関係で特に有用である。サイトコンテンツの蓄積および複数サイト間の関連ノートの適切な関連付けによって、サイト関連度は高められる。したがって、これに関係して、本明細書中で別途論じているように、どのコンテンツがクリップされるかを制御できることはサイト所有者にとって有利である。
【００３７】
図６は、本明細書に記載のシステムの一実施形態に係る、ウェブサイトのサイト所有者によるクリップコンテンツの制御に従ったオンサイトクリッピング処理を示すフロー図５００である。この特定の実施形態は、サイトの訪問者がエバーノートサービスに登録されアカウントと対応するログイン情報とを有する場合を表す。ステップ５０２において、システムは、ウェブサイト上のオンサイトクリッピングボタン（たとえば、埋め込みボタン１１２）を訪問者がクリックしたことを認識する。ステップ５０２の後、処理が進んで、テストステップ５０４においては、訪問者がエバーノートアカウント（および／または類似サービスのアカウント）にログインしたか否かが判断される。ログインした場合には処理が進んで、ステップ５０６においては、たとえばスクリプトにて、サイト所有者によって定義されているようにページコンテンツがクリップされる。本明細書中で別途論じているように、サイト所有者は、タイトル、関連ＵＲＬ、サイトのタイトル、提案されたノートブック名、およびタグ等の様々なクリップパラメータを予め定義しておいてもよいし、既存のコンテンツタグ（ノートブックやタグがない場合はそれらを作成してもよい）、格納場所、スタイル等を複製してもよい。省略パラメータについては、デフォルト値を設定してもよいし、および／または、訪問者（ユーザー）に入力を任せてもよい。訪問者は、ほとんどのパラメータをオーバーライド可能であってもよい。ただし、一実施形態においては、所有者／発行者によって制御されるコンテンツの選択がオーバーライド不可能であってもよい。
【００３８】
テストステップ５０４において、訪問者がエバーノートアカウントにログインしていないと判断された場合には処理が進んで、ステップ５０８においては、エバーノートへのログイン情報が訪問者に提供される。ステップ５０８の後、処理が進んで、テストステップ５１０においては、ログインに成功したか否かが判断される。成功しなかった場合には、処理を終了する。成功の場合には処理が進んで、ステップ５０６においては、所望のページのコンテンツがクリップされる。
【００３９】
ステップ５０６の後、処理が進んで、ステップ５１２においては、訪問者がクリッピングパラメータ（タイトル、ノートブック、カスタマイズしたテキスト等）の入力および／または上書きを行う。ステップ５１２の後、処理が進んで、ステップ５１４においては、エバーノートサービスのデータベースに新たなノートが保存される。ステップ５１４の後、処理を終了する。
【００４０】
他の実施形態においては、ステップ５１４の後、処理が進んで、ステップ５２０においては、本明細書中で別途説明するように、現在のウェブページについてクリップされたコンテンツの関連ノート（新たなノートを含む）のノートプレビューを備えたサイトメモリリストを、サイトメモリ処理と関係づけて訪問者に表示してもよい。ステップ５２０の後、処理が進んで、テストステップ５２２においては、サイトメモリリストのノートプレビュー項目をクリックして訪問者がサイトメモリを要求したか否かが判断される。要求していない場合は、処理を終了する。要求した場合には処理が進んで、ステップ５２４においては、訪問者がクリックしたノートプレビューの関連ノートを訪問者に表示する。ステップ５２４の後、処理を終了する。
【００４１】
図７は、本明細書に記載のシステムに係る、訪問者登録処理を含むオンサイトクリッピング処理に関する他の実施形態を示すフロー図５５０である。ステップ５５２において、システムは、ウェブサイト上のオンサイトクリッピングボタン（たとえば、埋め込みボタン１１２）を訪問者がクリックしたことを認識する。ステップ５５２の後、処理が進んで、テストステップ５５４においては、訪問者がエバーノートアカウント（および／または類似サービスのアカウント）にログインしたか否かが判断される。ログインした場合には処理が進んで、ステップ５５６においては、たとえばスクリプトにて、サイト所有者によって定義されているようにページコンテンツがクリップされる。本明細書中で別途論じているように、サイト所有者は、タイトル、関連ＵＲＬ、サイトのタイトル、提案されたノートブック名、およびタグ等の様々なクリップパラメータを予め定義しておいてもよいし、既存のコンテンツタグ（ノートブックやタグがない場合はそれらを作成してもよい）、格納場所、スタイル等を複製してもよい。省略パラメータについては、デフォルト値を設定してもよいし、および／または、訪問者（ユーザー）に入力を任せてもよい。訪問者は、ほとんどのパラメータをオーバーライド可能であってもよい。ただし、一実施形態においては、所有者／発行者によって制御されているコンテンツの選択がオーバーライド不可能であってもよい。
【００４２】
テストステップ５５４において、訪問者がエバーノートアカウントにログインしていないと判断された場合には処理が進んで、テストステップ５５５においては、訪問者がエバーノートに登録されているか否かが判断される。登録されている場合には処理が進んで（文字「Ａ」を付した接続子で示されたフロー処理）、ステップ５５８においては、エバーノートへのログイン情報およびプロンプトが訪問者に提供される。ステップ５５８の後、処理が進んで、テストステップ５６０においては、ログインに成功したか否かが判断される。成功しなかった場合には、処理を終了する。成功の場合には処理が進んで、ステップ５５６においては、所望のページのコンテンツがクリップされる。
【００４３】
テストステップ５５５において、訪問者がエバーノートに登録されていないと判断された場合には処理が進んで、ステップ５５７においては、訪問者登録処理として、エバーノートへの登録情報およびプロンプトが訪問者に提供される。なお、本明細書中で別途論じているように、この機能は、サイト所有者に対する収益発生スキーマと関係づけて使用してもよい。ステップ５５７の後、処理が進んで、テストステップ５５９においては、登録に成功したか否かが判断される。成功の場合には、訪問者のログインを行うステップ５５８に処理が進む。登録が成功しなかった場合には、処理を終了する。
【００４４】
ステップ５５６の後、処理が進んで、ステップ５６２においては、訪問者がクリッピングパラメータ（タイトル、ノートブック、カスタマイズしたテキスト等）の入力および／または上書きを行う。ステップ５６２の後、処理が進んで、ステップ５６４においては、エバーノートサービスのデータベースに新たなノートが保存される。ステップ５６４の後、処理を終了する。なお、フロー図５５０の処理と関係して、図６のフロー図５００のステップ５２０、５２２、および５２４に示したような別の処理を実行してもよい。
【００４５】
図８は、本明細書に記載のシステムの一実施形態に係る、訪問者がオンサイトクリッピング処理を起動した際にノートにクリップされるコンテンツの特徴および識別を制御するためにウェブサイトのサイト所有者が使用するボタンビルダーテンプレート６００を示す模式図である。ボタンビルダーテンプレート６００は、オンサイトクリッピング処理の起動と関係づけて、訪問者がクリックする埋め込みボタン（たとえば、埋め込みボタン１１２および／またはオンサイトクリッピングボタンを参照）のボタンコードを作成するのに使用してもよい。
【００４６】
ボタンビルダーテンプレート６００のフィールド６１０は、サイトメモリボタン／オンサイトクリッピングボタンに使用する画像のオプションを示している。当該画像と関連付けられた画像およびテキストを使用してもよい。ウェブサイトのサイト所有者は、ボタンに望ましい画像／テキストを選択する。フィールド６２０では、クリップされるコンテンツをサイト所有者が識別可能である。本明細書で論じているように、サイト所有者は、訪問者によるサイトメモリ処理の起動に応答してクリップされるコンテンツを制御してもよい。サイト所有者は、適当なコンテンツアドレス情報を「Ｃｏｎｔｅｎｔ  ｔｏ  ｃｌｉｐ」フィールドに入力してもよい。フィールド６３０では、サイトメモリウィンドウに表示されるサイト名をサイト所有者が指定することができる。指定しなかった場合、サイトメモリボタンが埋め込まれるウェブページのページタイトルをデフォルトとしてもよい。さらに、本明細書中で別途論じているように、フィールド６３０では、クリップの提案されたノートブック格納場所をサイト所有者が指定可能であるとともに、サイト所有者に対する収益発生と関係して、エバーノートを用いたサイト所有者の識別に用いられる照会コードの識別が可能である。フィールド６４０では、入力された設定をサイト所有者が確認し、制御された設定に従ってウェブサイトからクリップされたノートの一例を見ることができる。
【００４７】
サイトメモリボタンビルダーテンプレートのＣｏｎｔｅｎｔフィールド６２０に入力すると、ウェブサイトをクリップする訪問者が生成するクリップの品質を制御できる。デフォルト設定でクリップのコンテンツが指定されていない場合には、実際のコンテンツを保存せずに、ウェブページへのリンクをノートとして保存してもよい。クリップするコンテンツを指定することにより、クリップで得られるノートに実際のコンテンツが付与されるより有用な結果が得られるように制御してもよい。訪問者によるサイトメモリボタンの起動後にクリップ対象を適切に制御する方法として、埋め込みサイトメモリボタン構築時のコンテンツＩＤの設定が挙げられる。コンテンツＩＤは、クリップされることをサイト所有者が望むコンテンツを含むウェブページ上の＜ｄｉｖ＞等のコンテナのＩＤである。コンテンツＩＤは、要望に応じて、サイトごとに異なっていてもよい。たとえば、メインページのコンテンツは、Ｃｏｎｔｅｎｔ  ＩＤフィールドにコンテンツを容易に入れられるように、＜ｄｉｖ  ｉｄ＝“ｃｏｎｔｅｎｔ”＞と称するコンテナであってもよい。ブログ投稿の場合は、個別の投稿をまとまりとするコンテナを使用してもよい。このコンテナは、＜ｄｉｖ  ｉｄ＝“ｐｏｓｔ−ｘｙｚ−ｃｏｎｔｅｎｔ”＞等の一意のＩＤを既に有していてもよい。ここで、ｘｙｚは、特定の投稿に関連する。
【００４８】
一実施形態においては、クリップするコンテンツを制御するフィールド６２０と関係づけて、ｃｏｎｔｅｎｔ、ｃｏｎｔｅｎｔＩｄ、またはｃｏｎｔｅｎｔＵｒｌのいずれかのパラメータにより、ページからクリップされるメインコンテンツを制御するようにしてもよい。ｃｏｎｔｅｎｔパラメータは、クリップするコンテンツを含む文字列またはドキュメントオブジェクトモデル（ＤＯＭ）要素であってもよい。ｃｏｎｔｅｎｔＩｄパラメータは、クリップするコンテンツを含むＨＴＭＬ要素のＩＤであってもよく、たとえば＜ｄｉｖ＞である。ｃｏｎｔｅｎｔＵｒｌパラメータは、クリップするコンテンツを読み出すサイトメモリのＵＲＬであってもよい。コンテンツは、たとえばＡＪＡＸ（Ａｓｙｎｃｈｒｏｎｏｕｓ  ＪａｖａＳｃｒｉｐｔ  ａｎｄ  ＸＭＬの略語）を用いて読み出してもよく、標準的なＡＪＡＸの制約が適用される。このオプションは、印刷可能ビュー等のクリッピングに適したページフォーマットが既に利用可能な場合に、特に有用となる場合がある。
【００４９】
メインコンテンツ以外にも、種々の実施形態においては、署名、ヘッダーおよびフッターの各パラメータを用いて、クリップされたノートに署名、ヘッダーおよび／またはフッターを追加することができる。署名は、クリップのメインコンテンツに追加され、水平罫線によって分離される署名を含む文字列またはＤＯＭ要素である。ヘッダーは、メインコンテンツの先頭に追加されるヘッダーを含む文字列またはＤＯＭ要素である。フッターは、オプションの署名に続いてメインコンテンツに追加されるフッターを含む文字列またはＤＯＭ要素である。フッターは、署名のように水平罫線で分離されない。
【００５０】
なお、サイトメモリ処理は、訪問者がボタンをクリックするまでは完全に静的な処理であってもよいため、ページのロードが遅くなることはない。一実施形態において、サイトメモリコンテンツは、たとえばＡｍａｚｏｎ  ＣｌｏｕｄＦｒｏｎｔ等のサービスにより配信してもよい。このため、訪問者のブラウザは、訪問者がサイトメモリボタンをクリックするまでは実際のエバーノートサーバーに要求を出さなくてもよい。性能を最適化するその他のオプションには、サイトメモリＪａｖａＳｃｒｉｐｔライブラリを一度だけ含めること、ＪａｖａＳｃｒｉｐｔライブラリを各ページの最下部に含めて最後にロードされるようにすること、および／または、スクリプトソースＵＲＬを変更して縮小されたＪａｖａＳｃｒｉｐｔライブラリをロードすること、が含まれる。
【００５１】
本明細書に記載の種々の実施形態は、本明細書に記載のシステムとの関係において、適当に組み合わせてもよい。また、場合によっては、フローチャート、フロー図および／または上述のフロー処理のステップの順序を必要に応じて変更してもよい。さらに、本明細書に記載のシステムの種々の態様は、ソフトウェア、ハードウェア、ソフトウェアとハードウェアとの組み合わせ、および／または、上述の特徴を有し上述の機能を実行するその他のコンピュータ実装モジュールまたは機器を用いて、実現してもよい。本明細書に記載のシステムのソフトウェア実装には、コンピュータ読み取り可能な媒体に格納され、１または複数のプロセッサで実行される実行可能コードを含んでいてもよい。コンピュータ読み取り可能な媒体としては、コンピュータのハードドライブ、ＲＯＭ、ＲＡＭ、フラッシュメモリ、ＣＤ−ＲＯＭ、ＤＶＤ−ＲＯＭ、フラッシュドライブ、および／もしくは、ユニバーサルシリアルバス（ＵＳＢ）インターフェース等を備えたその他ドライブ等の携帯用コンピュータ記憶媒体、ならびに／または、実行可能コードを格納してプロセッサで実行可能なその他任意の適当な有形または一時的でないのコンピュータ読み取り可能な媒体またはコンピュータメモリが含まれる。本明細書に記載のシステムは、任意の適当なオペレーティングシステムと関係づけて使用してもよい。
【００５２】
本開示の発明の明細書または実施例を考慮すれば、当業者には本発明の他の実施形態は明白である。本明細書および例は単に例示であると考慮されることを意図しており、本発明の本質的な範囲および趣旨は添付の特許請求の範囲によって示される。
【図１】
2013546032.tif 000003
【図２】
2013546032.tif 000004
【図３】
2013546032.tif 000005
【図４】
2013546032.tif 000006
【図５】
2013546032.tif 000007
【図６】
2013546032.tif 000008
【図７】
2013546032.tif 000009
【図８】
2013546032.tif 000010
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
ウェブサイト上に情報を提示する方法であって、
前記ウェブサイトから抽出情報として情報を抽出することと、
前記ウェブサイトからの抽出情報に関連する情報を、当該ウェブサイトからの抽出情報の抽出前に当該関連情報が格納されているデータベースから検索することと、
前記関連情報を前記ウェブサイト上に表示されたコンテンツに関連付ける態様で当該関連情報を提示することと、
を含む方法。
【請求項２】
前記抽出情報は、前記ウェブサイトのサイトアドレスの一部であり、
前記抽出情報は、前記ウェブサイトから自動的に抽出され、または、前記ウェブサイトの訪問者による起動動作の後に当該ウェブサイトから抽出される、請求項１に記載の方法。
【請求項３】
前記ウェブサイトは検索エンジンとのインターフェースであり、前記抽出情報は当該検索エンジンに入力された検索クエリに対応する、請求項１に記載の方法。
【請求項４】
前記関連情報が表示される態様は、前記検索クエリに対する前記検索エンジンの検索結果を修正することを含む、請求項３に記載の方法。
【請求項５】
前記関連情報を提示する態様は、（i）当該関連情報のプレビューをポップアップウィンドウに表示すること、（ii）前記ウェブサイトを修正して当該関連情報を追加・表示すること、または、（iii）当該関連情報が利用可能である旨の通知を前記ウェブサイト上に表示することの少なくとも一つを含む、請求項１に記載の方法。
【請求項６】
訪問者が前記ポップアップウィンドウ内のプレビューを選択したか否かを判断することと、
前記プレビューが選択された場合には、当該プレビューに対応する前記関連情報を表示することと、
をさらに含む、請求項５に記載の方法。
【請求項７】
前記データベースはサービスによって保守されており、当該データベースに格納された前記関連情報は、少なくとも１つの他のウェブサイトからクリップされたコンテンツを含む、請求項１に記載の方法。
【請求項８】
ウェブサイト上でのコンテンツクリッピングプロセスに応答して格納された情報を制御する方法であって、
前記コンテンツクリッピングプロセスを起動する前記ウェブサイトにボタンを設定することと、
前記コンテンツクリッピングプロセスの起動に応答して、提示可能な形式でデータベースに格納されているウェブサイト上のコンテンツを識別するコンテンツパラメータを含む、前記ボタンに関連する少なくも１つのパラメータを設定することと、
前記ボタンを前記ウェブサイト上に埋め込むことと、
を含む方法。
【請求項９】
前記コンテンツクリッピングプロセスの起動に応答して識別される前記ウェブサイト上の前記コンテンツの前記提示可能な形式は、前記少なくとも１つのパラメータの制御によって当該ウェブサイトのサイト所有者により制御される、請求項８に記載の方法。
【請求項１０】
前記データベースは、前記ウェブサイトの訪問者が加入するサービスによって保守される、請求項８に記載の方法。
【請求項１１】
前記訪問者は、前記ウェブサイト上の前記埋め込まれたボタンをアクティブにして前記コンテンツクリッピングプロセスを起動し、前記コンテンツの前記提示可能な形式を前記データベースに格納する、請求項１０に記載の方法。
【請求項１２】
前記データベースに格納された前記コンテンツの前記提示可能な形式は、前記訪問者によってその後にアクセス可能である、請求項１１に記載の方法。
【請求項１３】
前記少なくとも１つのパラメータは、前記データベースに格納された前記提示可能な形式の前記コンテンツを体系化するパラメータをさらに含み、もしくは、前記コンテンツパラメータと前記コンテンツを体系化する少なくとも１つの他のパラメータとを含み、または、前記ウェブサイトの訪問者によって制御可能であり、もしくは、当該ウェブサイトのサイト所有者によって排他的に制御される、請求項８に記載の方法。
【請求項１４】
前記ボタンを設定することは、当該ボタンの視覚的特徴を設定することを含む、請求項８に記載の方法。
【請求項１５】
前記コンテンツの前記提示可能な形式は、当該コンテンツの印刷可能ビューと同じである、請求項８に記載の方法。
【国際調査報告】
2013546032.tif 000011